(57)【要約】【課題】波長スイープ光の繰り返し周波数を高くすることなく、各波長チャネルのシンボルレートを高めることが可能な光通信システム、光送信器および光送信方法を提供する。【解決手段】レーザ光源１１は、所定の繰り返し周波数で、所定の波長範囲を掃引する光信号を出力し、光分岐器１３は、出力光信号を２つに分岐する。変調信号発生器１５は、各波長チャネルのデータをビット順に２つに分離し、これらの分離された各波長チャネルのデータをそれぞれ時間軸上で多重して変調信号を生成する。変調器１２１、１２２は、分岐された２つの光信号を変調信号で変調する。光遅延器１７によって、経路１を通過する光信号が経路２を通過する光信号に対し、各波長チャネルのシンボル長の半値（１／２Ｂ［ｓ］）だけ遅れるよう遅延を与えることで、それぞれ２Ｂ［ｂ／ｓ］の伝送速度を有する複数波長の変調光信号を一括で生成することができる。【選択図】図１
2010103614.tif 000002
【特許請求の範囲】
【請求項１】
複数波長チャネルの変調光信号を出力する光送信器と、該光送信器から光伝送路を介して送信された光信号のうち所定の波長チャネルの光信号を抽出して受信する光受信器からなる光通信システムであって、
前記光送信器は、
所定の繰り返し周波数で、所定の波長範囲を掃引する光信号を出力する波長スイープ光源と、
前記波長スイープ光源の出力光信号をＮ（Ｎは２以上の自然数）個に分岐する光分岐器と、
各波長チャネルのデータをビット順にＮ個に分離し、これらの分離された各波長チャネルのデータをそれぞれ時間軸上で多重して得られる変調信号を出力する変調信号発生器と、
前記光分岐器のＮ個の出力光信号に対応して設けられ、Ｎ個の出力光信号を前記変調信号でそれぞれ変調するＮ個の光変調器と、
分岐されたＮ個の光信号に対して、光信号の時間差がそれぞれ前記所定の繰り返し周波数の逆数のＮ分の１になるように時間遅延を与える光遅延器と、
前記光変調器および前記光遅延器を通過したＮ個の光信号を合波して、光伝送路へ送出する光合波器を備え、
前記光受信器は、
前記光送信器から送信された光信号のうち所望の波長チャネルの光信号を抽出する光フィルタと、
前記光フィルタの出力光信号を受光して、前記所望の波長チャネルのデータを再生する受光器を備える
ことを特徴とする光通信システム。
【請求項２】
前記光送信器は、前記分岐された光信号が通過する経路のうちの、第（２ｋ−１）（ｋは自然数）の経路を通過する光信号と第２ｋの経路を通過する光信号との偏波方向が互いに直交するように偏波状態を制御する偏波調整器を更に備える、ことを特徴とする請求項１に記載の光通信システム。
【請求項３】
前記光送信器は、前記光合波器の後段に、異なる経路を通過した光信号の波長が接近する波長域を抑圧するような通過特性を有する光フィルタを更に備える、ことを特徴とする請求項１または２に記載の光通信システム。
【請求項４】
所定の繰り返し周波数で、所定の波長範囲を掃引する光信号を出力する波長スイープ光源と、
前記波長スイープ光源の出力光信号をＮ（Ｎは２以上の自然数）個に分岐する光分岐器と、
各波長チャネルのデータをビット順にＮ個に分離し、これらの分離された各波長チャネルのデータをそれぞれ時間軸上で多重して得られる変調信号を出力する変調信号発生器と、
前記光分岐器のＮ個の出力光信号に対応して設けられ、Ｎ個の出力光信号を前記変調信号でそれぞれ変調するＮ個の光変調器と、
分岐されたＮ個の光信号に対して、光信号の時間差がそれぞれ前記所定の繰り返し周波数の逆数のＮ分の１になるように時間遅延を与える光遅延器と、
前記光変調器および前記光遅延器を通過したＮ個の光信号を合波して、光伝送路へ送出する光合波器を備える
ことを特徴とする光送信器。
【請求項５】
前記分岐された光信号の経路のうちの、第（２ｋ−１）（ｋは自然数）の経路を通過する光信号と第２ｋの経路を通過する光信号との偏波方向が互いに直交するように偏波状態を制御する偏波調整器を更に備える、ことを特徴とする請求項４に記載の光送信器。
【請求項６】
前記光合波器の後段に、異なる経路を通過した光信号の波長が接近する波長域を抑圧するような通過特性を有する光フィルタを更に備える、ことを特徴とする請求項４または５に記載の光送信器。
【請求項７】
所定の繰り返し周波数で、所定の波長範囲を掃引する光信号を生成するステップと、
生成された光信号をＮ（Ｎは２以上の自然数）個に分岐するステップと、
各波長チャネルのデータをビット順にＮ個に分離し、これらの分離された各波長チャネルのデータをそれぞれ時間軸上で多重して変調信号を生成するステップと、
分岐されたＮ個の光信号を前記変調信号でそれぞれ変調するステップと、
分岐されたＮ個の光信号に対して、光信号の時間差がそれぞれ前記所定の繰り返し周波数の逆数のＮ分の１になるよう時間遅延を与えるステップと、
前記時間差を有するＮ個の光信号を合波して、光伝送路へ送出するステップを含む、
ことを特徴とする光送信方法。
【請求項８】
前記分岐された光信号が通過する経路のうちの、第（２ｋ−１）（ｋは自然数）の経路を通過する光信号と第２ｋの経路を通過する光信号との偏波方向が互いに直交するように偏波状態を制御するステップを更に含む、ことを特徴とする請求項７に記載の光送信方法。
【請求項９】
光信号を合波した後に、異なる経路を通過した光信号の波長が接近する波長域を抑圧するステップを更に含む、ことを特徴とする請求項７または８に記載の光送信方法。
【発明の詳細な説明】
【技術分野】
【０００１】
本発明は、複数波長の変調光信号を伝送する光通信システム、光送信方法およびこの光通信システムに用いられる光送信器に関する。
【背景技術】
【０００２】
従来の技術を用いて複数の波長の変調光信号を生成する方法について、図１７および図１８を用いて説明する。この方法は、主に、単一の光伝送路に複数の波長の光信号を多重して伝送し、伝送容量の拡大や、サービスラインナップ、加入者収容数の向上を実現する、いわゆる波長多重（ＷＤＭ：Wavelength Division Multiplexing）システムと呼ばれる光通信システムに適用することが想定される。
【０００３】
図１７は、従来技術を用いて複数波長の変調光信号を生成、伝送する構成例を示している。光送信器では、まず、図に示すような構成により、波長掃引信号発生器から出力された所定の繰り返し周期（１／Ｂ）を有するランプ波形状の信号を、所定の信号振幅になるよう波長掃引信号振幅調整器で調整して、レーザ光源に入力する。これにより、レーザ光源は、所定の繰り返し周期（１／Ｂ）で所定の波長範囲を掃引する光信号を出力する波長スイープ光を生成する。この波長スイープ光は、光変調器において変調信号発生器から出力された変調信号により変調された後、光伝送路に送出される。
【０００４】
変調信号発生器は、図１８に示すように、送信する複数波長チャネルのデータを時間軸上で多重した信号を生成し、光変調器に入力する。ここで、変調信号発生器の出力信号と、波長スイープ光を時間的に同期させることで、図１７に示すように、それぞれＢ［ｂ／ｓ］の伝送速度を有する複数波長（図１７ではチャネル数Ｎ）の変調光信号を一括で生成することができる。この構成で生成された複数波長光信号は、光伝送路を介して光受信器に送信され、光受信器では、光フィルタなどを用いて所望の波長チャネルの光信号だけを抽出して、データを選択的に受信することができる。
この構成によれば、単一の光源および光変調器という簡素な構成で、複数波長の光信号を生成できるため、波長チャネル数に応じて光源や光変調器を設置する必要がなく、経済的に波長多重伝送による大容量の光通信システムを構築できるという特徴がある（非特許文献１参照）。
【非特許文献１】谷口友宏、成川聖、桜井尚也、木村秀明、坪川信、“光ＦＤＭアクセスシステムにおける波長スイープ光を用いた共用型光送信器の提案”、電子情報通信学会２００７年ソサイエティ大会講演論文集、社団法人電子情報通信学会２００７年８月２９日発行、Ｂ−１０−６４、第２５８頁
【非特許文献２】谷口友宏、桜井尚也、木村秀明、坪川信、“波長スイープ光ＦＤＭシステムにおける隣接チャネル干渉抑圧のための送信光スペクトル成形”、電子情報通信学会２００８年総合大会講演論文集、社団法人電子情報通信学会２００８年３月５日発行、Ｂ−１０−５７、第３４０頁
【非特許文献３】松尾慎治、硴塚孝明、瀬川徹、藤原直樹、柴田泰夫、八坂洋、鈴木博之、“周波数変調型ＳＳＧ−ＤＢＲレーザと波長フィルタを用いた送信素子”、電子情報通信学会２００７年ソサイエティ大会講演論文集、社団法人電子情報通信学会２００７年８月２９日発行、Ｃ−４−１４、第２２０頁
【発明の開示】
【発明が解決しようとする課題】
【０００５】
上述したように従来例においては、光変調器において、各波長チャネルのシンボルレートに等しい繰り返し周波数を有する波長スイープ光を、各波長チャネルのデータを時間軸上で多重した信号で変調することで、全チャネルの信号光を一括で生成する。このため、各波長チャネルのシンボルレートを高くしようとすると、波長スイープ光の繰り返し周波数も高く設定する必要があり、生成が困難になる。さらに、前述の時間軸上で多重して得られる変調信号が非常に高速なものになり、光変調の結果として生成される光信号のスペクトルが、図３の従来技術の場合のように大きく広がってしまう。これに伴い、隣接チャネル同士の干渉が増大し、受信品質が劣化することが懸念される。
【０００６】
本発明は、このような背景に行われたものであって、波長スイープ光の繰り返し周波数を高くすることなく、また、隣接チャネルの干渉により受信品質を劣化させることなく、各波長チャネルのシンボルレートを高めることが可能である光通信システム、光送信器および光送信方法を提供することを目的とする。
【課題を解決するための手段】
【０００７】
上記目的を達成するため、本発明の光通信システムは、複数波長チャネルの変調光信号を出力する光送信器と、該光送信器から光伝送路を介して送信された光信号のうち所定の波長チャネルの光信号を抽出して受信する光受信器からなる光通信システムであって、前記光送信器が、所定の繰り返し周波数で、所定の波長範囲を掃引する光信号を出力する波長スイープ光源と、前記波長スイープ光源の出力光信号をＮ（Ｎは２以上の自然数）個に分岐する光分岐器と、各波長チャネルのデータをビット順にＮ個に分離し、これらの分離された各波長チャネルのデータをそれぞれ時間軸上で多重して得られる変調信号を出力する変調信号発生器と、前記光分岐器のＮ個の出力光信号に対応して設けられ、Ｎ個の出力光信号を前記変調信号でそれぞれ変調するＮ個の光変調器と、分岐されたＮ個の光信号に対して、光信号の時間差がそれぞれ前記所定の繰り返し周波数の逆数のＮ分の１になるように時間遅延を与える光遅延器と、前記光変調器および前記光遅延器を通過したＮ個の光信号を合波して、光伝送路へ送出する光合波器を備え、前記光受信器が、前記光送信器から送信された光信号のうち所望の波長チャネルの光信号を抽出する光フィルタと、前記光フィルタの出力光信号を受光して、前記所望の波長チャネルのデータを再生する受光器を備えることを特徴とする。
【０００８】
本発明の光通信システムは、前記光送信器が、前記分岐された光信号が通過する経路のうちの、第（２ｋ−１）（ｋは自然数）の経路を通過する光信号と第２ｋの経路を通過する光信号との偏波方向が互いに直交するように偏波状態を制御する偏波調整器を更に備えることが好ましく、また、前記光送信器が、前記光合波器の後段に、異なる経路を通過した光信号の波長が接近する波長域を抑圧するような通過特性を有する光フィルタを更に備えることが好ましい。
【０００９】
また、本発明の光送信器は、所定の繰り返し周波数で、所定の波長範囲を掃引する光信号を出力する波長スイープ光源と、前記波長スイープ光源の出力光信号をＮ（Ｎは２以上の自然数）個に分岐する光分岐器と、各波長チャネルのデータをビット順にＮ個に分離し、これらの分離された各波長チャネルのデータをそれぞれ時間軸上で多重して得られる変調信号を出力する変調信号発生器と、前記光分岐器のＮ個の出力光信号に対応して設けられ、Ｎ個の出力光信号を前記変調信号でそれぞれ変調するＮ個の光変調器と、分岐されたＮ個の光信号に対して、光信号の時間差がそれぞれ前記所定の繰り返し周波数の逆数のＮ分の１になるように時間遅延を与える光遅延器と、前記光変調器および前記光遅延器を通過したＮ個の光信号を合波して、光伝送路へ送出する光合波器を備えることを特徴とする。
【００１０】
本発明の光送信器は、前記分岐された光信号の経路のうちの、第（２ｋ−１）（ｋは自然数）の経路を通過する光信号と第２ｋの経路を通過する光信号との偏波方向が互いに直交するように偏波状態を制御する偏波調整器を更に備えることが好ましく、前記光合波器の後段に、異なる経路を通過した光信号の波長が接近する波長域を抑圧するような通過特性を有する光フィルタを更に備えることが好ましい。
【００１１】
また、本発明の光送信方法は、所定の繰り返し周波数で、所定の波長範囲を掃引する光信号を生成するステップと、生成された光信号をＮ（Ｎは２以上の自然数）個に分岐するステップと、各波長チャネルのデータをビット順にＮ個に分離し、これらの分離された各波長チャネルのデータをそれぞれ時間軸上で多重して変調信号を生成するステップと、分岐されたＮ個の光信号を前記変調信号でそれぞれ変調するステップと、分岐されたＮ個の光信号に対して、光信号の時間差がそれぞれ前記所定の繰り返し周波数の逆数のＮ分の１になるよう時間遅延を与えるステップと、前記時間差を有するＮ個の光信号を合波して、光伝送路へ送出するステップを含むことを特徴とする。
【００１２】
本発明の光送信方法は、前記分岐された光信号が通過する経路のうちの、第（２ｋ−１）（ｋは自然数）の経路を通過する光信号と第２ｋの経路を通過する光信号との偏波方向が互いに直交するように偏波状態を制御するステップを更に含むことが好ましく、光信号を合波した後に、異なる経路を通過した光信号の波長が接近する波長域を抑圧するステップを更に含むことが好ましい。
【発明の効果】
【００１３】
本発明の光通信システムは、波長スイープ光を基にした波長多重伝送光通信システムにおいて、波長スイープ光の繰り返し周波数を高くすることなく、また、隣接チャネルの干渉により受信品質を劣化させることなく、各波長チャネルのシンボルレートを高めることが可能である。これにより、通信システムの大容量化が実現できる。
【発明を実施するための最良の形態】
【００１４】
本発明の実施の形態について図面を参照して説明する。
（第１の実施形態）
本発明の光通信システムの第１の実施形態について、図１〜図３を用いて説明する。第１の実施形態に係る光通信システムは、複数波長チャネルの変調光信号を出力する光送信器と、光送信器から光伝送路を介して送信された光信号のうち所定の波長チャネルの光信号を抽出して受信する光受信器により構成される。図１は、本発明の第１の実施形態における光送信器および光受信器の構成例と、各構成部分における出力信号を示している。光送信器は、光部品として、レーザ光源１１と、光変調器１２１、１２２と、波長掃引信号発生器１３と、波長掃引信号振幅調整器１４と、変調信号発生器１５と、光分岐器１６と、光遅延器１７と、光合波器１８を有している。
【００１５】
波長掃引信号発生器１３から出力された所定の繰り返し周期（１／Ｂ：各波長チャネルのシンボル長に等しい）を有するランプ波形状の信号は、所定の信号振幅になるよう波長掃引信号振幅調整器１４で調整されて、レーザ光源１１に入力される。これにより、レーザ光源１１は、所定の繰り返し周期（１／Ｂ）で所定の波長範囲を掃引する光信号を出力する波長スイープ光を生成できる。
【００１６】
波長掃引信号振幅調整器１４は、上記のランプ波形状の波長掃引信号の振幅を調整し、所望の波長帯、波長スイープ量を有する光信号を生成するために用いられるものであり、例えば、バイアスティなどで交流成分と直流成分とを分離し、交流成分振幅を調整することで波長スイープ量を制御すると同時に、直流成分を調整することで発光する波長帯を制御する。
【００１７】
また、波長スイープ光の生成方法としては、レーザ光源１１に、例えば、単一スペクトルの光信号を生成する分布帰還型（ＤＦＢ：Distributed Feedback）レーザを用い、レーザの発振波長が印加電流に応じて変化するチャープ現象を用いて波長スイープ光を生成する方法が考えられる。これにより、数ＧＨｚ程度の繰り返し周期で、数１０ＧＨｚの波長スイープ範囲を得ることができる。また、この場合、波長スイープと同時に強度変動も生じてしまうため、必要に応じて、レーザ光源１１の後段において利得飽和領域で動作させた半導体光増幅器（ＳＯＡ：Semiconductor Optical Amplifier）などを用いて、上記の強度変動成分を抑圧することも有用である（非特許文献２参照）。
【００１８】
また、より高速かつ広帯域な波長スイープ光を生成するために、分布反射型（ＤＢＲ：Distributed Bragg Reflector）レーザの位相調整領域に上記の波長掃引信号を印加する方法も考えられる（非特許文献３参照）。
【００１９】
このようにして生成された波長スイープ光は、光分岐器１６により２つの出力に分岐され、それぞれ光変調器１２１、１２２に入力される。２つの光変調器１２１、１２２の出力光信号は、光合波器１８で合波された後、光伝送路２０に送出される。
【００２０】
変調信号発生器１５は、図２に示すように、送信する複数波長チャネルのデータを１ビット置きに分離し、これらをそれぞれ時間軸上で多重した信号（変調信号１、変調信号２）を生成し、それぞれ光変調器１２１、１２２に入力する。光変調器１２１、１２２は、波長スイープ光を、それぞれの波長チャネルの送信データを時間軸上で多重した信号で変調する。ここで、変調信号発生器１５の出力信号と、波長スイープ光を時間的に同期させ、さらに光遅延器１７によって、経路２を通過する光信号が経路１を通過する光信号に対し、各波長チャネルのシンボル長の半値（１／２Ｂ［ｓ］）だけ遅れるよう遅延を与えることで、図１に示すように、それぞれ２Ｂ［ｂ／ｓ］の伝送速度を有する複数波長（図１ではチャネル数Ｎ）の変調光信号を一括で生成することができる。なお、図１では、光遅延器１７を、経路２の側に設置したが、経路１の側に設置するようにしてもよい。また、光遅延器１７を、光変調器の後段に設置したが、光変調器の前段に設置するようにしてもよい。
【００２１】
光受信器は、図１に示すように、光フィルタ２１と、受光器２３と、ローパスフィルタ２４とを有している。光フィルタ２１は、光伝送路を介して、光送信器から送信された複数波長光信号のうち、所望の波長チャネルだけを抽出する。これにより、上記の所望のチャネルのデータを選択的に受信することができる。受光器２３は、光フィルタ２１の出力光信号を受光して、所望の波長チャネルのデータを再生する。この際、良好な受信特性が得られるよう必要に応じて、ローパスフィルタ２４を用いて、雑音帯域を制限する。
【００２２】
ここで、図３および図４を用いて、本発明の第１の実施形態における隣接チャネル干渉について説明する。図３は、上述した従来技術において伝送速度を２倍に高めた場合の光信号を示している。これに対し、本発明の第１の実施形態における光信号は、図４に示すような状態になる。図３および図４から分かるように、本発明では、伝送速度を２倍に高めても、生成する波長スイープ光の繰り返し周波数は変わらず、従来技術を用いた場合に比べて半分の値で済むため、波長スイープ光源を実現する際の技術的困難性が小さい。また、隣接チャネルの干渉に注目すると、従来技術に比べて光フィルタの通過帯域に含まれる隣接チャネル成分を小さく抑えられることが分かる。これにより、伝送速度を高めた際の、隣接チャネル干渉による受信品質の劣化を抑圧することができる。
【００２３】
このような実施形態を適用する光通信システムの構成例としては、例えば、図５に示すように、光送信器からの光信号がそれぞれ１芯の光伝送路を介して複数の光受信器に接続されたシングルスター（ＳＳ）方式や、図６に示すように、光伝送路途中に設置された光分岐器を介して、光伝送路の一部を共有しつつ複数の光受信器が接続されたパッシブオプティカルネットワーク（ＰＯＮ）方式が考えられる。また、図７に示すように、光伝送路途中にＷＤＭフィルタを設置し、波長によって異なる経路で光信号が伝送されるＷＤＭ−ＰＯＮ方式も考えられる。この場合、光フィルタは、１つの出力ポート毎に１波ずつ分波するもの、もしくは、複数波長（波長群）単位で分波するものが考えられる。
【００２４】
（第２の実施形態）
本発明の光通信システムの第２の実施形態について、図８を用いて説明する。第２の実施形態では、第１の実施形態の光送信器の構成に加えて、経路１を通過する光信号の偏波状態を制御する偏波調整器１９を有する。この偏波調整器１９により、光合波器１８の出力において、経路１を通過した光信号と経路２を通過した光信号の偏波方向が互いに直交するように、経路１を通過する光信号の偏波状態を制御する。なお、図８では、偏波調整器１９を、経路１の側に設置したが、経路２の側に設置するようにしてもよい。また、偏波調整器１９を、光変調器の後段に設置したが、光変調器の前段に設置するようにしてもよい。
【００２５】
第１の実施形態では、特に偏波状態についての調整は行わないため、経路１を通過した光信号と経路２を通過した光信号の偏波状態が一致した際には、これらの光信号同士の干渉が発生し、光受信器における受信品質を劣化させることが懸念される。一方、第２の実施形態では、上述のように、光送信器において、あらかじめ２つの経路を通過する光信号の偏波状態を互いに直交するよう調整するため、上記のような干渉は発生しないため、第１の実施形態に比べて高品質な受信特性が期待できる。また、光合波器１８として、複屈折材料を用いた偏波ビームコンバイナを用いると、合波時の電力損失を低減させることができる。
【００２６】
以上、第１および第２の実施形態について、波長スイープ光を２つに分岐してそれぞれ変調する構成について説明したが、これらの形態において３つ以上に分岐する構成も考えられる。すなわち、第１の実施形態では、波長スイープ光をＮ（Ｎは３以上の自然数）個に分岐した後、各波長チャネルのデータをビット順にＮ個に分離し、これらの分離された各波長チャネルのデータをそれぞれ時間軸上で多重して得られる信号で変調して、さらにこれらの変調光信号に対し、互いに１／ＮＢ［ｓ］の時間差を有するよう遅延を与えた後に合波する。
さらに、第２の実施形態では、変調光信号に対し、互いに１／ＮＢ［ｓ］の時間差を有するよう遅延を与えた後に、変調光信号が通過する経路のうちの、経路（２ｋ−１）（ｋは自然数）を通過する光信号と経路２ｋを通過する光信号との偏波方向が互いに直交するように偏波状態を制御する。
この場合に光伝送路に送出する光信号は、図９に表すことができる。例として、Ｎ＝４の場合の光変調器の構成と、それぞれの光変調器に入力する変調信号を図１０および図１１に示す。
このように、本発明によれば、波長スイープ光の繰り返し周波数を変えず、また隣接チャネルの干渉の影響を抑えながら、各波長チャネルの伝送速度を高めることが可能である。
【００２７】
（第３の実施形態）
本発明の光通信システムの第３の実施形態について、図１２〜図１６を用いて説明する。第３の実施形態では、光送信器および光受信器の構成は第１および第２の実施形態と同様のものであるが、図１２に示すように、光送信器内の光合波器の後段において光フィルタ２１を用いる点に特徴がある。
【００２８】
波長スイープ光の分岐数（Ｎ）が２の場合の光信号の時間−波長特性を図１３に示し、光フィルタの通過特性を図１４に示す。図１４に示すように、光フィルタ２１は、同一時間に２つの経路を通過した光信号の波長が接近する波長域（図１３中、点線で表示）を抑圧するような通過特性を有している。このような通過特性を有する光フィルタは、例えば、ＦＢＧ（Fiber Bragg Grating）を用いて実現することができる。上記の波長域においては、２つの光信号の波長が接近するため、これらの干渉成分が受光器において検出され、受信品質を劣化させる可能性がある。本実施形態では、光送信器において、光フィルタを用いてあらかじめこのような波長域を抑圧することで、２つの光信号同士の干渉における受信品質劣化を抑えることができる。
【００２９】
また、波長スイープ光の分岐数（Ｎ）が３以上の場合には、図１５に示すように、同一時間で異なる経路を通過した光信号の波長が接近する波長域が複数存在する。この場合には、図１６に示すように、周期性の通過特性を有する光フィルタを用いることで、これらの波長域を一括で抑圧することができる。このような通過特性を有する光フィルタは、例えば、マッハツェンダ干渉型フィルタにより実現することができる。
【図面の簡単な説明】
【００３０】
【図１】本発明の第１の実施形態における光通信システムの構成例と、各構成部分における出力信号を示す図である。
【図２】第１の実施形態における変調信号を示す図である。
【図３】従来技術における隣接チャネル干渉の影響について説明する概念図である。
【図４】本発明における隣接チャネル干渉の影響について説明する概念図である。
【図５】シングルスター（ＳＳ）方式について説明する図である。
【図６】パッシブオプティカルネットワーク（ＰＯＮ）方式について説明する図である。
【図７】ＷＤＭ−ＰＯＮ方式について説明する図である。
【図８】本発明の第２の実施形態における光送信器の構成例と、各構成部分における出力信号を示す図である。
【図９】第１および第２の実施形態において分岐数を拡張した形態における光信号を示す図である。
【図１０】分岐数Ｎ＝４の場合の光送信器の構成例を示す図である。
【図１１】分岐数Ｎ＝４の場合の変調信号を示す図である。
【図１２】本発明の第２の実施形態における光送信器の構成例と、各構成部分における出力信号を示す図である。
【図１３】第３の実施形態において分岐数Ｎ＝２の場合の光信号および光フィルタ特性を示す図である。
【図１４】光フィルタの通過特性を示す図である。
【図１５】第３の実施形態において分岐数Ｎが３以上の場合の光信号および光フィルタ特性を示す図である。
【図１６】光フィルタの通過特性を示す図である。
【図１７】従来の光通信システムの構成例を示す図である。
【図１８】従来の光通信システムにおける変調信号を示す図である。
【符号の説明】
【００３１】
１１  レーザ光源
１２  光変調器
１３  波長掃引信号発生器
１４  波長掃引信号振幅調整器
１５  変調信号発生器
１６  光分岐器
１７  光遅延器
１８  光合波器
１９  偏波調整器
２０  光伝送路
２１  光フィルタ
２３  受光器
２４  ローパスフィルタ
【図１】
2010103614.tif 000003
【図２】
2010103614.tif 000004
【図３】
2010103614.tif 000005
【図４】
2010103614.tif 000006
【図５】
2010103614.tif 000007
【図６】
2010103614.tif 000008
【図７】
2010103614.tif 000009
【図８】
2010103614.tif 000010
【図９】
2010103614.tif 000011
【図１０】
2010103614.tif 000012
【図１１】
2010103614.tif 000013
【図１２】
2010103614.tif 000014
【図１３】
2010103614.tif 000015
【図１４】
2010103614.tif 000016
【図１５】
2010103614.tif 000017
【図１６】
2010103614.tif 000018
【図１７】
2010103614.tif 000019
【図１８】
2010103614.tif 000020